(57)【特許請求の範囲】
【請求項１】
一端部に電極ケーブルの終端部を接続し他端部に出力ケーブルの始端部を接続させた電極基板を筒状ケース内に縦設し、内周にパッキングを介して電極ケーブルの挿通されるケーブル挿通口を筒状ケース前端部から管状に突出させ、該ケーブル挿通口の外周へ螺合構造により締着ナットを装着し、ケーブル挿通口と筒状ケース後端部の引出穴との間を接続するガイドチューブを前記電極基板と並列状に縦設し、ケーブル挿通口よりガイドチューブに挿通して筒状ケース内へ導入された電極ケーブルは、筒状ケース後端部の引出穴を通って筒状ケースの外部でＵ字状に折り返し部を形成し、筒状ケース後端部の引込穴を通って筒状ケース内で終端部を電極基板の一端部に接続され、ケーブル挿通口より導出された電極ケーブル始端部には電極が付設されており、締着ナットの締め戻し時において電極ケーブルの導出長さが任意に調節し得られ、締着ナットの締め着け時において電極ケーブルの上記導出長さが固定されると共にケーブル挿通口内周の水密保持がなされるよう構成したことを特徴とする、ケーブル電極式レベルスイッチ。
【請求項２】
前記電極ケーブルが、撓曲自在であって且つその撓曲形態を維持し得る性質のものであることを特徴とする、請求項１記載のケーブル電極式レベルスイッチ。
【発明の詳細な説明】
【０００１】
【発明の技術分野】
本発明は、導電性液体の液位を検出するためのケーブル電極式レベルスイッチに関するものである。
【０００２】
【従来技術とその問題点】
従来、電極式のレベルスイッチでは、電極保持器の下面に金属製の電極棒が垂下されている。そしてこの電極棒は一定の長さに作られていて伸縮不能な構造であるため、適正な液面検出を行わせるためには使用現場において計測長に合わせた寸法に電極棒を切断しなければならないという不便さがある。また、電極棒が可撓性を有しないため、タンクの形状や取付位置等、仕様に合わせて個別的に設計製造されなければならず、注文製作のかたちで提供されるためコスト高になることは避けられないという欠点がある。
【０００３】
【発明の目的】
本発明の目的は、現場における計測長に即応して電極の導下長さが容易に調節でき、また、レベルスイッチの取付位置や液体容器の形状に制約されることなく対応し得られて、汎用性が高くローコストに製造し得るケーブル電極式レベルスイッチを提供することにある。
【０００４】
【発明の構成】
本発明に係るケーブル電極式レベルスイッチにおいては、前端部に電極ケーブルの終端部を接続し後端部に出力ケーブルの始端部を接続させた電極基板を筒状ケース内に縦設し、内周にパッキングを介して電極ケーブルの挿通されるケーブル挿通口を筒状ケース前端部から管状に突出させ、該ケーブル挿通口の外周へ螺合構造により締着ナットを装着し、ケーブル挿通口と筒状ケース後端部の引出穴との間を接続するガイドチューブを前記電極基板と並列状に縦設し、ケーブル挿通口よりガイドチューブに挿通して筒状ケース内へ導入された電極ケーブルは、筒状ケース後端部の引込穴を通って筒状ケースの外部でＵ字状に折り返し部を形成し、筒状ケース後端部の引込穴を通って筒状ケース内で終端部を電極基板の一端部に接続され、ケーブル挿通口より導出された電極ケーブル始端部には電極が付設されており、締着ナットの締め戻し時において電極ケーブルの導出長さが任意に調節し得られ、締着ナットの締着時において電極ケーブルが上記導出長さで固定されると共にケーブル挿通口内周の水密保持がなされるよう構成し、また、前記電極ケーブルは、撓曲自在であって且つその撓曲形態を維持し得る性質のものとする。
【０００５】
【実施例】
以下実施例の図面により説明をする。
【０００６】
１は筒状ケース２内に縦設された電極基板であって、その一端部には電極ケーブル３の終端部が接続せられ他端部には出力ケーブル４の始端部が接続されている。５は筒状ケース２の前端部から管状に突出されたケーブル挿通口であり、その内周にパッキング６を介して電極ケーブル３が挿通せられ、その外周には締着ナット７が螺合構造により装着される。筒状ケース２の後端開口部にはキャップ１０が嵌着せられ、該キャップ１０には電極ケーブル３を外部へ引き出すための引出穴Ｈ１、引き出された電極をＵ字状に折り返して再び内部へ引き入れるための引込穴Ｈ２、出力ケーブル４を外部へ導出させるための導出穴Ｈ３がそれぞれ穿設されている。そしてケーブル挿通口５より筒状ケース２内へ導入された電極ケーブル３は、筒状ケース２の後端部から前記引出穴Ｈ１を通って外部へ引き出され、Ｕ字状に折り返し部３ｔを形成して前記引込穴Ｈ２を通って再び筒状ケース２内へ引き入れられ、その終端部を電極基板１の一端部に接続させるのである。他方、ケーブル挿通口５より導出された電極ケーブル３の始端部には電極９が付設されている。そして電極ケーブル３は、網組の物を使用した柔軟性を有するもので、網組同軸ケーブルと呼ばれており、撓曲自在であって且つその撓曲形態を維持することができる。その構造を詳述すれば、中心に導線があり、その周囲に絶縁被覆を施し、その外周に網状になった導線を巻いて更にその外周に絶縁被覆を施し、且つ網状となった導線部分に半田等の比較的柔らかい金属を流し込んで一体とするのであるが、同軸ケーブルの中心導線を太い単線構成とすれば、網組部分に半田等を流し込まなくても任意の曲げ姿勢を維持させることができるのである。８はケーブル３の導入導出を円滑に行わせるためのガイドチューブであり、筒状ケース２内においてケーブル挿通口５と引出穴Ｈ１との間を接続させるよう縦設されている。
【０００７】
【作用】
締着ナット７を戻し方向に回動操作すればケーブル挿通口５内周におけるパッキング６の圧接力が弱められ、電極ケーブル３はケーブル挿通口５からガイドチューブ８内を摺動可能な状態となる。従って電極ケーブル３を筒状ケース２内へ押し込むことで折返し部３ｔがキャップ１０から離隔する方向へ突出して電極ケーブル３の始端側の導出長さが短縮せられ、また、電極ケーブル３を引き出すことで折り返し部３ｔがキャップ１０へ接近するよう移動して電極ケーブル３の始端側の導出長さが増大する。
【０００８】
このように電極ケーブル３を引き出したり押し込んだりして任意の設定長さに調節し、設定長さが決定すれば締着ナット７を締め込み方向に回動操作する。締着ナット７の締め込みによってケーブル挿通口５内周におけるパッキング６の圧接力が強められるので、電極ケーブル３は上述の導出長さで固定されると共にケーブル挿通口５内周の水密性が保持されることになる。
【０００９】
また、電極ケーブル３が撓曲自在であって且つその撓曲形態を維持し得る性質のものである場合には、図４のようにレベルスイッチを水槽の上壁に装着するのみでなく、図５のように水槽の側壁から装着するについても対応でき、更には図６にように容器自体が屈折したものであっても対応できるのである。
【発明の効果】
本発明のケーブル電極式レベルスイッチによれば、現場における計測長に即応して簡単な操作で電極の導下長さが任意に調節し得られ、精度の良い検出を行わせることができる。また、電極ケーブルに網組同軸ケーブルを用いることにより、屈曲した変形容器内にも容易に挿入することができ、水槽への取付位置にも限定されることなく横取付にも対応できるので、汎用性が高くローコストに製造し得るという利点がある。
【図面の簡単な説明】
【図１】本発明ケーブル電極式レベルスイッチの縦断側面図であって、電極ケーブル押し込み時の状態を示す。
【図２】本発明ケーブル電極式レベルスイッチの縦断側面図であって、電極ケーブル引き出し時の状態を示す。
【図３】本発明ケーブル電極式レベルスイッチにおけるキャップの平面図である。
【図４】本発明ケーブル電極式レベルスイッチの使用例であり、水槽の上壁に装着した状態を示す要部縦断側面図である。
【図５】本発明ケーブル電極式レベルスイッチの使用例であり、水槽の側壁に装着した状態を示す要部縦断側面図である。
【図６】本発明ケーブル電極式レベルスイッチの使用例であり、屈折した容器に装着した状態を示す。
【符号の説明】
１      電極基板
２      筒状ケース
３      電極ケーブル
３ｔ    Ｕ字状折り返し部
４      出力ケーブル
５      ケーブル挿通口
６      パッキング
７      締着ナット
８      ガイドチューブ
９      電極
Ｈ１    引出穴
Ｈ２    引込穴
【図１】
0003972228.tif 000002
【図２】
0003972228.tif 000003
【図３】
0003972228.tif 000004
【図４】
0003972228.tif 000005
【図５】
0003972228.tif 000006
【図６】
0003972228.tif 000007